【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】
複数の表示素子と、該表示素子に対してパルス幅の異なる信号を出力する駆動回路とを有する画像表示装置であって、
前記駆動回路が前記表示素子のそれぞれに対して出力する信号は立ち上がりのタイミングが概略そろっており、かつ信号の立下り時に画像表示状態の第１の波高値から画像非表示状態の第２の波高値になるまでの時間が、信号の立ち上がり時に画像非表示状態の前記第２の波高値から画像表示状態の前記第１の波高値になるまでの時間よりも長いことを特徴とする画像表示装置。
【請求項２】
複数の行配線と、該行配線と交叉する複数の列配線とによって、マトリックス状に接続される複数の表示素子と、該表示素子に対してパルス幅の異なる信号を出力する駆動回路とを有する画像表示装置であって、
前記駆動回路が、選択された行配線に接続される複数の前記表示素子に対して前記複数の列配線を介して出力する信号は、立ち上がりのタイミングが概略そろっており、かつ信号の立下り時に画像表示状態の第１の波高値から画像非表示状態の第２の波高値になるまでの時間が、信号の立ち上がり時に画像非表示状態の前記第２の波高値から画像表示状態の前記第１の波高値になるまでの時間よりも長いことを特徴とする画像表示装置。
【請求項３】
複数の表示素子と、該表示素子に対してパルス幅の異なる信号を出力する駆動回路とを有する画像表示装置であって、
前記駆動回路が前記表示素子のそれぞれに対して出力する信号は立ち下がりのタイミングが概略そろっており、かつ信号の立上がり時に画像非表示状態の第２の波高値から画像表示状態の第１の波高値になるまでの時間が、信号の立ち下がり時に画像表示状態の前記第１の波高値から画像非表示状態の前記第２の波高値になるまでの時間よりも長いことを特徴とする画像表示装置。
【請求項４】
複数の行配線と、該行配線と交叉する複数の列配線とによって、マトリックス状に接続される複数の表示素子と、該表示素子に対してパルス幅の異なる信号を出力する駆動回路とを有する画像表示装置であって、
前記駆動回路が、選択された行配線に接続される複数の前記表示素子に対して前記複数の列配線を介して出力する信号は、立ち下がりのタイミングが概略そろっており、かつ信号の立上がり時に画像非表示状態の第２の波高値から画像表示状態の第１の波高値になるまでの時間が、信号の立ち下がり時に画像表示状態の前記第１の波高値から画像非表示状態の前記第２の波高値になるまでの時間よりも長いことを特徴とする画像表示装置。
【請求項５】
前記駆動回路は、前記信号の波高値を立ち上げる回路と立ち下げる回路とを有することを特徴とする請求項１乃至４のいずれか１項に記載の画像表示装置。
【請求項６】
前記駆動回路は、表示すべき画像の輝度に応じたパルス幅の信号を出力することを特徴とする請求項１乃至５のいずれか１項に記載の画像表示装置。
【請求項７】
前記表示素子は電子放出素子を有することを特徴とする請求項１乃至６のいずれか１項に記載の画像表示装置。
【請求項８】
複数の表示素子に対してパルス幅の異なる信号を与えて画像を表示する画像表示方法であって、
前記表示素子のそれぞれに対して、立ち下がりのタイミングが概略そろっており、かつ立上がり時に画像非表示状態の第２の波高値から画像表示状態の第１の波高値になるまでの時間が、立ち下がり時に画像表示状態の前記第１の波高値から画像非表示状態の前記第２の波高値になるまでの時間よりも長い信号を与えることを特徴とする画像表示装置。
【請求項９】
複数の行配線と、該行配線と交叉する複数の列配線とによって、マトリックス状に接続される複数の表示素子とを有する画像表示装置における画像表示方法であって、
該表示素子に対してパルス幅の異なる信号を与えて画像を表示する時に、
選択された行配線に接続される複数の前記表示素子に対して、前記複数の列配線を介して、立ち下がりのタイミングが概略そろっており、かつ立上がり時に画像非表示状態の第２の波高値から画像表示状態の第１の波高値になるまでの時間が、立ち下がり時に画像表示状態の前記第１の波高値から画像非表示状態の前記第２の波高値になるまでの時間よりも長い信号を与えることを特徴とする画像表示装置。
【請求項１０】
前記信号の立ち上げと立ち下げを別個の回路で行うことを特徴とする請求項８又は９に記載の画像表示方法。
【請求項１１】
前記信号は、表示すべき画像の輝度に応じたパルス幅の信号であることを特徴とする請求項８又は９に記載の画像表示方法。
【手続補正２】
【補正対象書類名】明細書
【補正対象項目名】００２６
【補正方法】変更
【補正の内容】
【００２６】
複数の表示素子と、該表示素子に対してパルス幅の異なる信号を出力する駆動回路とを有する画像表示装置であって、
前記駆動回路が前記表示素子のそれぞれに対して出力する信号は立ち上がりのタイミングが概略そろっており、かつ信号の立下り時に画像表示状態の第１の波高値から画像非表示状態の第２の波高値になるまでの時間が、信号の立ち上がり時に画像非表示状態の前記第２の波高値から画像表示状態の前記第１の波高値になるまでの時間よりも長いことを特徴とする画像表示装置。
【手続補正３】
【補正対象書類名】明細書
【補正対象項目名】００２８
【補正方法】変更
【補正の内容】
【００２８】
複数の行配線と、該行配線と交叉する複数の列配線とによって、マトリックス状に接続される複数の表示素子と、該表示素子に対してパルス幅の異なる信号を出力する駆動回路とを有する画像表示装置であって、
前記駆動回路が、選択された行配線に接続される複数の前記表示素子に対して前記複数の列配線を介して出力する信号は、立ち上がりのタイミングが概略そろっており、かつ信号の立下り時に画像表示状態の第１の波高値から画像非表示状態の第２の波高値になるまでの時間が、信号の立ち上がり時に画像非表示状態の前記第２の波高値から画像表示状態の前記第１の波高値になるまでの時間よりも長いことを特徴とする画像表示装置。
【手続補正４】
【補正対象書類名】明細書
【補正対象項目名】００３０
【補正方法】変更
【補正の内容】
【００３０】
複数の表示素子と、該表示素子に対してパルス幅の異なる信号を出力する駆動回路とを有する画像表示装置であって、
前記駆動回路が前記表示素子のそれぞれに対して出力する信号は立ち下がりのタイミングが概略そろっており、かつ信号の立上がり時に画像非表示状態の第２の波高値から画像表示状態の第１の波高値になるまでの時間が、信号の立ち下がり時に画像表示状態の前記第１の波高値から画像非表示状態の前記第２の波高値になるまでの時間よりも長いことを特徴とする画像表示装置。
【手続補正５】
【補正対象書類名】明細書
【補正対象項目名】００３２
【補正方法】変更
【補正の内容】
【００３２】
複数の行配線と、該行配線と交叉する複数の列配線とによって、マトリックス状に接続される複数の表示素子と、該表示素子に対してパルス幅の異なる信号を出力する駆動回路とを有する画像表示装置であって、
前記駆動回路が、選択された行配線に接続される複数の前記表示素子に対して前記複数の列配線を介して出力する信号は、立ち下がりのタイミングが概略そろっており、かつ信号の立上がり時に画像非表示状態の第２の波高値から画像表示状態の第１の波高値になるまでの時間が、信号の立ち下がり時に画像表示状態の前記第１の波高値から画像非表示状態の前記第２の波高値になるまでの時間よりも長いことを特徴とする画像表示装置。
【手続補正６】
【補正対象書類名】明細書
【補正対象項目名】００３５
【補正方法】変更
【補正の内容】
【００３５】
また、前記表示素子は電子放出素子を有するものを好適に採用しうる。特に、該電子放出素子から放出される電子により発光する蛍光体と組み合わせて用いると好適である。特に表面伝導型放出素子を用いると好適である。
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４１
【補正方法】変更
【補正の内容】
【００４１】
複数の表示素子に対してパルス幅の異なる信号を与えて画像を表示する画像表示方法であって、
前記表示素子のそれぞれに対して、立ち下がりのタイミングが概略そろっており、かつ立上がり時に画像非表示状態の第２の波高値から画像表示状態の第１の波高値になるまでの時間が、立ち下がり時に画像表示状態の前記第１の波高値から画像非表示状態の前記第２の波高値になるまでの時間よりも長い信号を与えることを特徴とする画像表示装置。
【手続補正１２】
【補正対象書類名】明細書
【補正対象項目名】００４３
【補正方法】変更
【補正の内容】
【００４３】
複数の行配線と、該行配線と交叉する複数の列配線とによって、マトリックス状に接続される複数の表示素子とを有する画像表示装置における画像表示方法であって、
該表示素子に対してパルス幅の異なる信号を与えて画像を表示する時に、
選択された行配線に接続される複数の前記表示素子に対して、前記複数の列配線を介して、立ち下がりのタイミングが概略そろっており、かつ立上がり時に画像非表示状態の第２の波高値から画像表示状態の第１の波高値になるまでの時間が、立ち下がり時に画像表示状態の前記第１の波高値から画像非表示状態の前記第２の波高値になるまでの時間よりも長い信号を与えることを特徴とする画像表示装置。